(57)【要約】【課題】電力用半導体モジュールを構成する半導体パッケージの配線抵抗や寄生インダクタンスを低減する。【解決手段】ダイパッド部（ＴＡＢ１）の上面には、ＩＧＢＴが形成された半導体チップ５Ａとダイオードチップ８Ａとが搭載されている。半導体チップ５Ａのエミッタパッド６およびダイオードチップ８Ａのアノードパッド９は、Ａｌワイヤ１０を介してリード３に接続されている。リード３の一端部は、エミッタパッド６とリード３を接続するＡｌワイヤ１０の長さを短くするために、ダイパッド部（ＴＡＢ１）の上面よりも上方に配置されている。【選択図】図９
2010267789.tif 000002
【特許請求の範囲】
【請求項１】
絶縁性樹脂からなる封止体と、
前記封止体によって少なくとも一部が覆われ、かつそれぞれが第１電極を構成する第１および第２金属ベース板と、
下面に第１電極を有すると共に、上面に第２電極パッドと制御電極パッドとを有し、前記下面が導電性接着剤を介して前記第１金属ベース板の上面に固定された第１半導体チップと、
下面に第１電極を有すると共に、上面に第２電極パッドと制御電極パッドとを有し、前記下面が導電性接着剤を介して前記第２金属ベース板の上面に固定された第２半導体チップと、
それぞれの一端が前記封止体によって覆われ、他端が前記封止体の一側面から突出する第１および第２リードと、
前記第１半導体チップの前記第２電極パッドと前記第１リードの前記一端とを電気的に接続する第１導電材料と、
前記第２半導体チップの前記第２電極パッドと前記第２リードの前記一端とを電気的に接続する第２導電材料と、
を有し、
前記第１リードの前記一端は、前記第１金属ベース板の上面よりも上方に位置し、
前記第２リードの前記一端は、前記第２金属ベース板の上面よりも上方に位置していることを特徴とする半導体装置。
【請求項２】
それぞれの一端が前記封止体によって覆われ、他端が前記封止体の一側面から突出する第３および第４リードと、
前記第１半導体チップの前記制御電極パッドと前記第３リードの前記一端とを電気的に接続する第３導電材料と、
前記第２半導体チップの前記制御電極パッドと前記第４リードの前記一端とを電気的に接続する第４導電材料と、
をさらに有することを特徴とする請求項１記載の半導体装置。
【請求項３】
前記第１、第２、第３および第４導電材料は、金属ワイヤからなり、
前記第１および第２導電材料の径は、前記第３および第４導電材料の径よりも大きいことを特徴とする請求項２記載の半導体装置。
【請求項４】
前記金属ワイヤは、Ａｌワイヤであることを特徴とする請求項３記載の半導体装置。
【請求項５】
前記第１および第２金属ベース板のそれぞれの下面は、前記封止体の下面から露出していることを特徴とする請求項４記載の半導体装置。
【請求項６】
前記封止体の一部には、前記封止体の上下面を貫通する貫通孔が設けられており、前記貫通孔の周囲の前記第１および第２金属ベース板には、樹脂固定用の長溝が設けられていることを特徴とする請求項５記載の半導体装置。
【請求項７】
前記第１および第２金属ベース板のそれぞれの端部には、前記第１および第２金属ベース板の他の領域に比べて厚さの薄い薄肉部が設けられていることを特徴とする請求項６記載の半導体装置。
【請求項８】
前記第１および第２半導体チップには、ＩＧＢＴが形成されていることを特徴とする請求項７記載の半導体装置。
【請求項９】
絶縁性樹脂からなる封止体と、
前記封止体によって少なくとも一部が覆われ、かつそれぞれが第１電極を構成する第１および第２金属ベース板と、
下面に第１電極を有すると共に、上面に第２電極パッドと制御電極パッドとを有し、前記下面が導電性接着剤を介して前記第１金属ベース板の上面に固定された第１半導体チップと、
下面に第１電極を有すると共に、上面に第２電極パッドと制御電極パッドとを有し、前記下面が導電性接着剤を介して前記第２金属ベース板の上面に固定された第２半導体チップと、
下面に第１電極を有すると共に、上面に第３電極パッドを有し、前記下面が導電性接着剤を介して前記第１金属ベース板の上面に固定され、前記第１半導体チップに並列に接続された第１ダイオードチップと、
下面に第１電極を有すると共に、上面に第３電極パッドを有し、前記下面が導電性接着剤を介して前記第２金属ベース板の上面に固定され、前記第２半導体チップに並列に接続された第２ダイオードチップと、
それぞれの一端が前記封止体によって覆われ、他端が前記封止体の一側面から突出する第１および第２リードと、
前記第１半導体チップの前記第２電極パッドと前記第１リードの前記一端とを電気的に接続する第１導電材料と、
前記第２半導体チップの前記第２電極パッドと前記第２リードの前記一端とを電気的に接続する第２導電材料と、
を有し、
前記第１リードの前記一端は、前記第１金属ベース板の上面よりも上方に位置し、
前記第２リードの前記一端は、前記第２金属ベース板の上面よりも上方に位置していることを特徴とする半導体装置。
【請求項１０】
前記第１および第２半導体チップには、ＩＧＢＴが形成されていることを特徴とする請求項９記載の半導体装置。
【請求項１１】
前記第１および第２導電材料は、金属リボンまたは金属クリップからなり、
前記第３および第４導電材料は、金属ワイヤからなることを特徴とする請求項２記載の半導体装置。
【請求項１２】
前記金属ワイヤは、Ａｕワイヤであることを特徴とする請求項１１記載の半導体装置。
【請求項１３】
前記封止体の一部には、前記封止体の上下面を貫通する貫通孔が設けられており、前記貫通孔の周囲の前記第１および第２金属ベース板には、前記貫通孔よりも径の小さい複数の貫通孔が設けられていることを特徴とする請求項１記載の半導体装置。
【発明の詳細な説明】
【技術分野】
【０００１】
本発明は、半導体装置に関し、特に、ＩＧＢＴ（Insulated Gate Bipolar Transistor）やＭＯＳＦＥＴ等の電力用トランジスタが形成された半導体チップを複数個組み合わせて構成した電力用半導体モジュールに適用して有効な技術に関する。
【背景技術】
【０００２】
トランジスタ、ダイオードなどの複数個の電力用半導体チップを組み合せて構成した電力用半導体モジュールは、一般に半導体素子から発生する熱を拡散させる金属ベース板、半導体チップをマウントするための配線パターンが形成された配線層、配線層と金属ベース板とを絶縁する絶縁基板などによって構成されている。
【０００３】
近年、この種の電力用半導体モジュールは、実装面積の縮小や部品コストの低減を図るために小型化が進められており、例えば特許文献１には、双方向スイッチを構成する２個のトランジスタチップと２個のダイオードチップを１個の半導体パッケージに封止した双方向スイッチモジュールが開示されている。
【０００４】
特許文献２は、電力用トランジスタチップを樹脂封止した半導体パッケージの放熱性改善およびトランジスタのオン抵抗の低減を図るために、電力用トランジスタチップの電極パッドとリードとを厚い接続板で接続する技術を開示している。この文献に開示された接続板は、薄肉部と厚肉部を有する上面が平坦な金属板からなり、厚肉部の下面が導電性の接着剤を介してソース電極パッドに接続され、薄肉部の下面が導電性の接着剤を介してソースリードに接着されている。
【０００５】
特許文献３は、電力用トランジスタチップを樹脂封止した半導体パッケージにおいて、ワイヤボンディング用のツールがリードポストに接触しないように電力用トランジスタチップ表面のソース電極パッドおよびゲート電極パッドを配置し、安定したボンダビリティを得るための技術が開示されている。
【先行技術文献】
【特許文献】
【０００６】
【特許文献１】特開２００８−１６６４６１号公報
【特許文献２】特開２００５−２４３６８５号公報
【特許文献３】特開２００５−０２６２９４号公報
【発明の概要】
【発明が解決しようとする課題】
【０００７】
例えば三相モータ用インバータ回路やＨブリッジモータ用インバータ回路には、複数個のＩＧＢＴチップと複数個のダイオードチップとを組み合わせて構成したスイッチモジュールが使用されている。
【０００８】
通常、この種のモータ用インバータ回路には、数十アンペアの大電流が流れるので、回路の配線抵抗や寄生インダクタンスが大きい場合には、モータの起動時や停止時の逆方向誘起電圧によって素子が破壊する恐れがある。
【０００９】
また、ＩＧＢＴチップとダイオードチップとをリードフレームのダイパッド部に搭載する半導体パッケージの場合、チップとリードおよびそれらを接続するワイヤが樹脂封止体の内部で極めて近接して配置されるため、数１００Ｖの高電圧が印加されるチップとワイヤとの間で放電が発生し、素子が破壊する恐れがある。
【００１０】
さらに、モータ用インバータ回路に使用されるスイッチモジュールは、チップからの発熱量が大きいので、放熱板に取り付けられた状態で使用される。そのため、スイッチモジュールを構成する半導体パッケージには、パッケージを放熱板に固定するためのネジ穴（貫通孔）が設けられている。しかし、このような貫通孔を備えた半導体パッケージは、貫通孔の周囲の樹脂とダイパッド部との界面が温度サイクルによって剥離し易いという問題がある。
【００１１】
本発明の目的は、信頼性の高い電力用半導体モジュールを提供することにある。
【００１２】
本発明の前記ならびにその他の目的と新規な特徴は、本明細書の記述および添付図面から明らかになるであろう。
【課題を解決するための手段】
【００１３】
本願において開示される発明のうち、代表的なものの概要を簡単に説明すれば、次のとおりである。
【００１４】
代表的な実施の形態による半導体装置は、絶縁性樹脂からなる封止体と、
前記封止体によって少なくとも一部が覆われ、かつそれぞれが第１電極を構成する第１および第２金属ベース板と、
下面に第１電極を有すると共に、上面に第２電極パッドと制御電極パッドとを有し、前記下面が導電性接着剤を介して前記第１金属ベース板の上面に固定された第１半導体チップと、
下面に第１電極を有すると共に、上面に第２電極パッドと制御電極パッドとを有し、前記下面が導電性接着剤を介して前記第２金属ベース板の上面に固定された第２半導体チップと、
それぞれの一端が前記封止体によって覆われ、他端が前記封止体の一側面から突出する第１および第２リードと、
前記第１半導体チップの前記第２電極パッドと前記第１リードの前記一端とを電気的に接続する第１導電材料と、
前記第２半導体チップの前記第２電極パッドと前記第２リードの前記一端とを電気的に接続する第２導電材料と、
を有し、
前記第１リードの前記一端は、前記第１金属ベース板の上面よりも上方に位置し、
前記第２リードの前記一端は、前記第２金属ベース板の上面よりも上方に位置しているものである。
【発明の効果】
【００１５】
本願において開示される発明のうち、代表的なものによって得られる効果を簡単に説明すれば以下の通りである。
【００１６】
金属ベース板上に実装された半導体チップとリードを接続する配線長が短縮されることにより、配線抵抗や寄生インダクタンスが小さくなるので、モータの起動時や停止時の逆方向誘起電圧によって半導体チップを破壊することを抑制できる。従って、電力用半導体モジュールの信頼性を向上させることができる。
【図面の簡単な説明】
【００１７】
【図１】本発明の実施の形態１である半導体パッケージの等価回路図である。
【図２】本発明の実施の形態１である半導体パッケージの外観を示す平面図である。
【図３】本発明の実施の形態１である半導体パッケージの放熱板取り付け面を示す平面図である。
【図４】本発明の実施の形態１である半導体パッケージの側面図である。
【図５】本発明の実施の形態１である半導体パッケージの内部構造を示す平面図である。
【図６】図５のＡ−Ａ線に沿った断面図である。
【図７】（ａ）は、ＩＧＢＴが形成された半導体チップ５Ａの部分断面図、（ｂ）は、ＩＧＢＴの等価回路図である。
【図８】（ａ）は、ダイオードチップ８Ａの断面図、（ｂ）は、ダイオードの等価回路図である。
【図９】ダイパッド部とリードとの位置関係を示す半導体パッケージの概略断面図である。
【図１０】ダイパッド部とリードとの位置関係を示す半導体パッケージの概略断面図である。
【図１１】図５のＢ−Ｂ線に沿った断面図である。
【図１２】図５のＣ−Ｃ線に沿った断面図である。
【図１３】図５のＤ−Ｄ線に沿った断面図である。
【図１４】本発明の実施の形態１である半導体パッケージの組み立て工程の全体フロー図である。
【図１５】本発明の実施の形態１である半導体パッケージの製造方法を示す平面図である。
【図１６】図１５に続く半導体パッケージの製造方法を示す平面図である。
【図１７】図１６に続く半導体パッケージの製造方法を示す平面図である。
【図１８】図１７に続く半導体パッケージの製造方法を示す平面図である。
【図１９】図１８に続く半導体パッケージの製造方法を示す平面図である。
【図２０】図１９に続く半導体パッケージの製造方法を示す平面図である。
【図２１】本発明の実施の形態１である半導体パッケージを配線基板に実装した状態を示す側面図である。
【図２２】本発明の実施の形態１である半導体パッケージを使用した三相モータ用インバータ回路の例である。
【図２３】本発明の実施の形態１である半導体パッケージを使用したＨブリッジモータ用インバータ回路の例である。
【図２４】本発明の実施の形態２である半導体パッケージの外観を示す平面図である。
【図２５】本発明の実施の形態２である半導体パッケージの放熱板取り付け面を示す平面図である。
【図２６】本発明の実施の形態２である半導体パッケージの側面図である。
【図２７】本発明の実施の形態２である半導体パッケージの内部構造を示す平面図である。
【図２８】図２７のＥ−Ｅ線に沿った断面図である。
【図２９】ダイパッド部とリードとの位置関係を示す半導体パッケージの概略断面図である。
【図３０】ダイパッド部とリードとの位置関係を示す半導体パッケージの概略断面図である。
【図３１】ダイパッド部に設けられた貫通孔の形状の別例を示す断面図である。
【図３２】本発明の実施の形態２である半導体パッケージの製造方法を示す平面図である。
【図３３】図３２に続く半導体パッケージの製造方法を示す平面図である。
【図３４】図３３に続く半導体パッケージの製造方法を示す平面図である。
【図３５】図３４に続く半導体パッケージの製造方法を示す平面図である。
【図３６】図３５に続く半導体パッケージの製造方法を示す平面図である。
【図３７】図３６に続く半導体パッケージの製造方法を示す平面図である。
【図３８】図３７に続く半導体パッケージの製造方法を示す平面図である。
【図３９】本発明の実施の形態２である半導体パッケージを配線基板に実装した状態を示す側面図である。
【図４０】本発明の他の実施の形態である半導体パッケージを示す平面図である。
【図４１】本発明の他の実施の形態である半導体パッケージを示す平面図である。
【図４２】本発明の他の実施の形態である半導体パッケージを示す平面図である。
【図４３】本発明の他の実施の形態である半導体パッケージを示す平面図である。
【図４４】（ａ）は、ＭＯＳＦＥＴが形成された半導体チップの部分断面図、（ｂ）は、ＭＯＳＦＥＴの等価回路図である。
【図４５】ＩＧＢＴとＦＥＴのオン電圧特性を比較したグラフである。
【発明を実施するための形態】
【００１８】
以下、本発明の実施の形態を図面に基づいて詳細に説明する。なお、実施の形態を説明するための全図において、同一の部材には原則として同一の符号を付し、その繰り返しの説明は省略する。
【００１９】
また、以下の実施の形態では、特に必要なときを除き、同一または同様な部分の説明を原則として繰り返さない。また、以下の実施の形態を説明する図面においては、構成を分かり易くするために、平面図であってもハッチングを付す場合がある。
【００２０】
（実施の形態１）
本実施の形態では、モータ制御用のインバータ回路に用いられるスイッチモジュールに適用した半導体装置について説明する。
【００２１】
図１に、本実施の形態のスイッチモジュールの回路構成を示す。このスイッチ回路は、電流通路となる一対の端子（Ｖｃｃ端子およびＧＮＤ端子、電源端子およびグランド端子）間に接続された第１半導体スイッチＱ１、第２半導体スイッチＱ２、第１ダイオードＤｉ１および第２ダイオードＤｉ２を含んで構成されている。第１半導体スイッチＱ１および第２半導体スイッチＱ２のそれぞれは、ＩＧＢＴ（Insulated Gate Bipolar Transistor）で構成されており、第１ダイオードＤｉ１および第２ダイオードＤｉ２のそれぞれは、高速整流ダイオード(Fast Recovery Diodes)で構成されている。そして、第１半導体スイッチＱ１のゲート電極および第２半導体スイッチＱ２のゲート電極は、それぞれＧ１端子、Ｇ２端子に接続されており、第１半導体スイッチＱ１のエミッタ電極および第２半導体スイッチＱ２のコレクタ電極は、それぞれＣＯＭ端子に接続されている。さらに、第１半導体スイッチＱ１のコレクタ電極はＶｃｃ端子、第２半導体スイッチＱ２のエミッタ電極はＧＮＤ端子に接続されている。
【００２２】
本実施の形態のスイッチモジュールは、いわゆるＴＯ−３Ｐ類似の半導体パッケージに封止されている。図２は、スイッチモジュールを構成する半導体パッケージの外観を示す平面図、図３は、半導体パッケージの裏面（放熱板取り付け面）を示す平面図、図４は、半導体パッケージの側面図、図５は、半導体パッケージの内部構造を示す平面図、図６は、図５のＡ−Ａ線に沿った断面図である。
【００２３】
スイッチモジュールを構成する半導体パッケージ１Ａは、外観的には、偏平四角形状の封止体２Ａの一側面から５本のリード３を平行に突出させた構造となっている。封止体２Ａは、シリコンフィラーを含浸させたエポキシ樹脂からなり、リード３は、Ｃｕ（銅）またはＦｅ−Ｎｉ（鉄−ニッケル）合金からなる。また、リード３の表面には、例えばＮｉ（ニッケル）膜、Ｐｄ（パラジウム）膜およびＡｕ（金）膜を積層した３層構造のメッキが施されている。
【００２４】
上記５本のリード３は、前記図１に示したスイッチ回路の５個の端子に対応している。すなわち、Ｖｃｃ端子を構成するリード３（Ｖｃｃ）、ＧＮＤ端子を構成するリード３（ＧＮＤ）、Ｇ１端子を構成するリード３（Ｇ１）、Ｇ２端子を構成するリード３（Ｇ２）およびＣＯＭ端子を構成するリード３（ＣＯＭ）である。各端子の配置順は、図２に示す平面図において左側から、Ｇ１端子を構成するリード３（Ｇ１）、Ｖｃｃ端子を構成するリード３（Ｖｃｃ）、ＣＯＭ端子を構成するリード３（ＣＯＭ）、Ｇ２端子を構成するリード３（Ｇ２）、およびＧＮＤ端子を構成するリード３（ＧＮＤ）となっている。
【００２５】
封止体２Ａの内部には、互いに分離された一対のダイパッド部（ＴＡＢ１、ＴＡＢ２）が封止されている。ダイパッド部（ＴＡＢ１、ＴＡＢ２）は、ＣｕまたはＦｅ−Ｎｉ合金からなる金属ベース板であり、放熱用ヘッダとしての機能を備えている。ダイパッド部（ＴＡＢ１、ＴＡＢ２）のそれぞれの一部は、封止体２Ａの一側面（５本のリード３が配置された一側面と対向する一側面）から外部に突出している。また、ダイパッド部（ＴＡＢ１、ＴＡＢ２）のそれぞれの下面は、封止体２Ａの下面から露出している。さらに、ダイパッド部（ＴＡＢ１）は、Ｖｃｃ端子を構成するリード３（Ｖｃｃ）と一体に構成されており、ダイパッド部（ＴＡＢ２）は、ＣＯＭ端子を構成するリード３（ＣＯＭ）と一体に構成されている。ダイパッド部（ＴＡＢ１、ＴＡＢ２）およびリード３の厚さは、例えば０．６ｍｍ程度である。
【００２６】
ダイパッド部（ＴＡＢ１）の上面には、Ｐｂ−Ｓｎ−Ａｇ半田、Ｓｎ−Ｓｂ半田などの半田やＡｇペーストのような導電性接着剤４を介して半導体チップ５Ａが搭載されており、ダイパッド部（ＴＡＢ２）の上面には、導電性接着剤４を介して半導体チップ５Ｂが搭載されている。半導体チップ５Ａ、５Ｂのそれぞれには、第１電極としてコレクタ電極、第２電極としてエミッタ電極、制御電極としてゲート電極を有するＩＧＢＴが形成されている。半導体チップ５Ａ、５Ｂのそれぞれは、平面的に見て四角形であり、一辺の長さは４ｍｍ程度である。
【００２７】
半導体チップ５Ａ、５Ｂのそれぞれは、導電性接着剤４と接する下面がコレクタ電極となっている。半導体チップ５Ａのコレクタ電極は、導電性接着剤４を介してダイパッド部（ＴＡＢ１）と電気的に接続されているので、ダイパッド部（ＴＡＢ１）と一体に形成されたリード３（Ｖｃｃ）、すなわちＶｃｃ端子と電気的に接続されている。また、半導体チップ５Ｂのコレクタ電極は、導電性接着剤４を介してダイパッド部（ＴＡＢ２）と電気的に接続されているので、ダイパッド部（ＴＡＢ２）と一体に形成されたリード３（ＣＯＭ）、すなわちＣＯＭ端子と電気的に接続されている。
【００２８】
半導体チップ５Ａ、５Ｂのそれぞれの上面には、ＩＧＢＴのエミッタ電極と電気的に接続されたエミッタパッド６、およびゲート電極と電気的に接続されたゲートパッド７が形成されている。エミッタパッド６およびゲートパッド７は、例えばアルミニウム（Ａｌ）合金で構成されている。エミッタパッド６は、ＩＧＢＴのオン抵抗を低減するために、ゲートパッド７よりも広い面積で形成されている。
【００２９】
図７（ａ）は、ＩＧＢＴが形成された半導体チップ５Ａの部分断面図、図７（ｂ）は、ＩＧＢＴの等価回路図である。ここでは、トレンチゲート構造を有するｎチャネル型ＩＧＢＴを例示している。なお、半導体チップ５Ｂの構造は、半導体チップ５Ａと同一であるため、その説明は省略する。
【００３０】
ｐ＋型シリコン基板３０上には、ｎ＋型バッファー層３１およびｎ−型エピタキシャル層３２が形成されており、ｎ−型エピタキシャル層３２の表面には、ｐ＋型拡散層３３およびｎ＋型拡散層３４が形成されている。また、ｎ＋型拡散層３４の一部には、ｎ＋型拡散層３４およびｐ＋型拡散層３３を貫通してｎ−型エピタキシャル層３２に達する溝が形成されており、この溝の内部には、酸化シリコン膜からなるゲート絶縁膜３５および多結晶シリコン膜からなるゲート電極３６が形成されている。
【００３１】
ｐ＋型シリコン基板３０、ｎ＋型バッファー層３１、ｎ−型エピタキシャル層３２およびｐ＋型拡散層３３は、ＩＧＢＴのｐｎｐトランジスタ部を構成し、ｐ＋型拡散層３３、ｎ＋型拡散層３４、ゲート絶縁膜３５およびゲート電極３６は、ＩＧＢＴのＭＯＳＦＥＴ部を構成している。ｐ＋型シリコン基板３０の裏面にはコレクタ電極３７が形成されており、ｐ＋型拡散層３３、ｎ＋型拡散層３４のそれぞれの上部にはエミッタ電極３８が形成されている。
【００３２】
エミッタ電極３８の上部には、ｐ＋型シリコン基板３０の最表面を覆う表面保護膜３９が形成されている。エミッタ電極３８は、Ａｌ合金膜からなり、表面保護膜３９は、ポリイミド樹脂膜からなる。エミッタ電極３８のうち、表面保護膜３９で覆われていない領域、すなわち半導体チップ５Ａの表面に露出した領域は、前述したエミッタパッド６を構成している。また、図示は省略するが、ゲート電極３６には、エミッタ電極３８と同層のＡｌ合金膜からなるゲート引き出し電極が接続されている。ゲート引き出し電極のうち、表面保護膜３９で覆われていない領域、すなわち半導体チップ５Ａの表面に露出した領域は、前述したゲートパッド６を構成している。
【００３３】
図５に示すように、ダイパッド部（ＴＡＢ１）の上面において、半導体チップ５Ａと隣接する領域には、導電性接着剤４を介してダイオードチップ８Ａが搭載されている。また、ダイパッド部（ＴＡＢ２）の上面において、半導体チップ５Ｂと隣接する領域には、導電性接着剤４を介してダイオードチップ８Ｂが搭載されている。ダイオードチップ８Ａ、８Ｂのそれぞれは、導電性接着剤４と接する下面にカソード電極が形成されており、上面にアノード電極が形成されている。また、ダイオードチップ８Ａ、８Ｂのそれぞれの上面には、アノード電極の一部であるアノードパッド９が露出している。アノード電極およびカソード電極は、Ａｕ（金）膜からなる。
【００３４】
図８（ａ）は、ダイオードチップ８Ａの断面図、図８（ｂ）は、ダイオードの等価回路図である。なお、ダイオードチップ８Ｂの構造は、ダイオードチップ８Ａと同一であるため、その説明は省略する。
【００３５】
ｎ＋型シリコン基板４０上には、ｎ−型エピタキシャル層４１が形成されており、ｎ−型エピタキシャル層４１の表面には、ｐ＋型拡散層４２が形成されている。また、ｐ＋型拡散層４２の表面にはアノード電極４３が形成されており、ｎ＋型シリコン基板４０の裏面にはカソード電極４４が形成されている。
【００３６】
アノード電極４３の上部には、ｎ＋型シリコン基板４０の最表面を覆う表面保護膜４５が形成されている。アノード電極４３は、Ａｌ合金膜からなり、表面保護膜４５は、ポリイミド樹脂膜からなる。アノード電極４３のうち、表面保護膜４５で覆われていない領域、すなわちダイオードチップ８Ａの表面に露出した領域は、前述したアノードパッド９を構成している。
【００３７】
図５に示すように、ダイオードチップ８Ａのアノードパッド９、半導体チップ５Ａのエミッタパッド６およびリード３（ＣＯＭ）は、１本のＡｌワイヤ１０（導電材料）によって電気的に接続されており、半導体チップ５Ａのゲートパッド７およびリード３（Ｇ１）は、１本のＡｌワイヤ１１（導電材料）によって電気的に接続されている。また、ダイオードチップ８Ｂのアノードパッド９、半導体チップ５Ｂのエミッタパッド６およびリード３（Ｇ２）は、１本のＡｌワイヤ１０によって電気的に接続されており、半導体チップ５Ｂのゲートパッド７およびリード３（ＧＮＤ）は、１本のＡｌワイヤ１１によって電気的に接続されている。
【００３８】
ダイオードチップ８Ａのアノードパッド９、半導体チップ５Ａのエミッタパッド６およびリード３（ＣＯＭ）を接続するＡｌワイヤ１０と、ダイオードチップ８Ｂのアノードパッド９、半導体チップ５Ｂのエミッタパッド６およびリード３（Ｇ２）を接続するＡｌワイヤ１０は、スイッチ回路の電流通路となるので大電流が流れる。従って、これらのＡｌワイヤ１０は、半導体チップ５Ａのゲートパッド７とリード３（Ｇ１）を接続するＡｌワイヤ１１および半導体チップ５Ｂのゲートパッド７とリード３（ＧＮＤ）を接続するＡｌワイヤ１１よりも太い径を有している。Ａｌワイヤ１０の直径は、例えば３００〜５００μｍであり、Ａｌワイヤ１１の直径は、例えば１２５〜１５０μｍである。
【００３９】
このように、本実施の形態のスイッチモジュールは、ダイパッド部（ＴＡＢ１）の上面に搭載した半導体チップ５Ａとダイオードチップ８Ａ、ダイパッド部（ＴＡＢ２）の上面に搭載した半導体チップ５Ｂとダイオードチップ８Ｂ、リード３およびＡｌワイヤ１０、１１を上記のように接続することにより、１個の半導体パッケージ１Ａで図１に示したスイッチ回路を実現している。
【００４０】
図９は、ダイパッド部（ＴＡＢ１）とリード３（ＣＯＭ）との位置関係を示す半導体パッケージ１Ａの概略断面図、図１０は、ダイパッド部（ＴＡＢ２）とリード３（Ｇ２）との位置関係を示す半導体パッケージ１Ａの概略断面図である。
【００４１】
図９に示すように、ダイパッド部（ＴＡＢ１）の近傍に配置されたリード３（ＣＯＭ）の一端部は、ダイパッド部（ＴＡＢ１）の上面よりも上方に位置している。また、図１０に示すように、ダイパッド部（ＴＡＢ２）の近傍に配置されたリード３（Ｇ２）の一端部は、ダイパッド部（ＴＡＢ２）の上面よりも上方に位置している。
【００４２】
前述したように、ダイパッド部（ＴＡＢ１）の上面には、導電性接着剤４を介して半導体チップ５Ａおよびダイオードチップ８Ａが搭載されている。そして、ダイオードチップ８Ａのアノードパッド９、半導体チップ５Ａのエミッタパッド６およびリード３（ＣＯＭ）は、Ａｌワイヤ１０によって互いに接続されている。また、ダイパッド部（ＴＡＢ２）の上面には、導電性接着剤４を介して半導体チップ５Ｂおよびダイオードチップ８Ｂが搭載されている。そして、ダイオードチップ８Ｂのアノードパッド９、半導体チップ５Ｂのエミッタパッド６およびリード３（Ｇ２）は、Ａｌワイヤ１０によって互いに接続されている。
【００４３】
このように、リード３（ＣＯＭ）の一端部をダイパッド部（ＴＡＢ１）の上面よりも上方に位置させることにより、リード３（ＣＯＭ）の一端部をダイパッド部（ＴＡＢ１）の上面と同じ高さにした場合に比べて、半導体チップ５Ａのエミッタパッド６とリード３（ＣＯＭ）を接続するＡｌワイヤ１０の長さが短くなるので、その分のＡｌワイヤ１０の寄生インダクタンスおよび抵抗を低減することができる。同様に、リード３（Ｇ２）の一端部をダイパッド部（ＴＡＢ２）の上面よりも上方に位置させた場合には、リード３（Ｇ２）の一端部をダイパッド部（ＴＡＢ２）の上面と同じ高さにした場合に比べて、半導体チップ５Ｂのエミッタパッド６とリード３（Ｇ２）を接続するＡｌワイヤ１０の長さが短くなるので、その分のＡｌワイヤ１０の寄生インダクタンスおよび抵抗を低減することができる。
【００４４】
また、リード３（ＣＯＭ）の一端部をダイパッド部（ＴＡＢ１）の上面と同じ高さにした場合には、半導体チップ５Ａの周囲に流れ出た導電性接着剤４とその上方のＡｌワイヤ１０との距離が接近するので、半導体チップ５Ａの周囲に流れ出た導電性接着剤４の量が多い場合には、導電性接着剤４とＡｌワイヤ１０とが短絡する恐れがある。これに対し、本実施の形態１の半導体装置は、リード３（ＣＯＭ）の一端部をダイパッド部（ＴＡＢ１）の上面よりも上方に配置しており、半導体チップ５Ａの周囲に流れ出た導電性接着剤４とその上方のＡｌワイヤ１０との距離が離れているので、半導体チップ５Ａの周囲に導電性接着剤４が多く流れ出た場合でもＡｌワイヤ１０との短絡を防止することができる。
同様の理由により、リード３（Ｇ２）の一端部もダイパッド部（ＴＡＢ２）の上面よりも上方に配置されているので、半導体チップ５Ｂの周囲に導電性接着剤４が多く流れ出た場合でもＡｌワイヤ１０との短絡を防止することができる。
【００４５】
また、半導体チップ５Ａのエミッタパッド６とリード３（ＣＯＭ）をＡｌワイヤ１０で接続する際に、半導体チップ５Ａの上面の最外周部とその上方のＡｌワイヤ１０との距離が１００μｍ程度まで接近すると、スイッチモジュールの動作時に半導体チップ５ＡとＡｌワイヤ１０との間で放電が発生し、素子（ＩＧＢＴ）の破壊を引き起こす恐れがある。これは、ＩＧＢＴを逆耐圧に保持したときに、前記図７（ａ）の破線で示した空乏層（Ｄ）の拡がりの外側に位置する半導体チップ５Ａの最外周部が半導体チップ５Ａの裏面（コレクタ電極）と同電位となり、数１００Ｖの高電圧が印加されるためである。
【００４６】
しかし、本実施の形態のように、リード３（ＣＯＭ）の一端部をダイパッド部（ＴＡＢ１）の上面よりも上方に位置させた場合には、リード３（ＣＯＭ）の一端部をダイパッド部（ＴＡＢ１）の上面と同じ高さにした場合に比べて、半導体チップ５Ａの上面の最外周部とその上方のＡｌワイヤ１０との距離が離れるので、上記した半導体チップ５ＡとＡｌワイヤ１０との間の放電を防止することができる。また、本実施の形態では、リード３（Ｇ２）の一端部をダイパッド部（ＴＡＢ２）の上面よりも上方に配置しているので、上記と同様の理由により、半導体チップ５ＢとＡｌワイヤ１０との間の放電を防止することができる。
【００４７】
また、ダイオードを逆耐圧に保持したときには、前記図８（ａ）に示すように、ダイオードチップ８Ａの上面の最外周部が空乏層（Ｄ）の拡がりの外側に位置し、裏面（カソード電極４４）と同電位となるので、数１００Ｖの高電圧が印加される。従って、ダイオードチップ８Ａ、８Ｂのアノードパッド９にＡｌワイヤ１０を接続する際にも、ダイオードチップ８Ａ、８Ｂの最外周部とＡｌワイヤ１０との距離を少なくとも１００μｍ以上離すことが望ましい。
【００４８】
図２、図３、図５に示すように、本実施の形態の半導体パッケージ１Ａは、半導体チップ５Ａ、５Ｂから外れる封止体２Ａの中央部分に円形の貫通孔１２が設けられている。この貫通孔１２は、半導体パッケージ１Ａを放熱板に固定する際に使用されるネジ穴である。このような貫通孔１２を有する半導体パッケージ１Ａは、貫通孔１２の周囲の樹脂（封止体２Ａ）とダイパッド部（ＴＡＢ１、ＴＡＢ２）との界面が温度サイクルによって剥離し易い。
【００４９】
その対策として、本実施の形態の半導体パッケージ１Ａは、貫通孔１２の周囲のダイパッド部（ＴＡＢ１、ＴＡＢ２）に樹脂固定用の長溝１３が設けられている。図１１は、図５のＢ−Ｂ線に沿った長溝１３の断面構造を示している。図１１に示すように、長溝１３の内壁には、逆テーパ状の段差が形成されているため、長溝１３の内部に入り込んだ樹脂がアンカー効果により抜け難い構造となっている。従って、このような長溝１３を貫通孔１２の周囲のダイパッド部（ＴＡＢ１、ＴＡＢ２）に設けることにより、封止体２Ａとダイパッド部（ＴＡＢ１、ＴＡＢ２）との界面剥離を抑制することが可能となる。
【００５０】
また、本実施の形態の半導体パッケージ１Ａは、半導体チップ５Ａ、５Ｂやダイオードチップ８Ａ、８Ｂが搭載される領域の周囲のダイパッド部（ＴＡＢ１、ＴＡＢ２）にも樹脂固定用の長溝１４が設けられている。図１２は、図５のＣ−Ｃ線に沿った長溝１４の断面構造を示している。チップ搭載領域の周囲に設けられた長溝１４は、ダイパッド部（ＴＡＢ１、ＴＡＢ２）の上面に半導体チップ５Ａ、５Ｂやダイオードチップ８Ａ、８Ｂを搭載する際に、導電性接着剤４がチップ搭載領域の外側に拡散するのを防ぐ機能も兼ね備えている。これらの長溝１３、１４は、ダイパッド部（ＴＡＢ１、ＴＡＢ２）の表面をプレス金型で叩くことによって形成される。
【００５１】
また、図１３（図５のＤ−Ｄ線に沿った断面図）に示すように、ダイパッド部（ＴＡＢ１、ＴＡＢ２）の端部には、ダイパッド部（ＴＡＢ１、ＴＡＢ２）の他の領域に比べて厚さの薄い薄肉部１５が設けられている。この薄肉部１５は、ダイパッド部（ＴＡＢ１、ＴＡＢ２）の端部をプレス金型などで押し潰すことによって形成される。封止体２Ａと接するダイパッド部（ＴＡＢ１、ＴＡＢ２）の端部にこのような薄肉部１５を設けた場合は、ダイパッド部（ＴＡＢ１、ＴＡＢ２）の端部の断面が階段状となり、封止体２Ａとの接着強度がアンカー効果により増すため、封止体２Ａとダイパッド部（ＴＡＢ１、ＴＡＢ２）との界面剥離を抑制することが可能となる。
【００５２】
次に、本実施の形態の半導体パッケージ１Ａの組み立て方法を説明する。図１４は、組み立て工程の全体フロー図である。
【００５３】
まず、図１５に示すように、パッケージ複数個分のダイパッド部（ＴＡＢ１、ＴＡＢ２）がタイバー１６やフレーム１７などによって連結されたリードフレームＬＦ１を準備する。
【００５４】
次に、図１６に示すように、各ダイパッド部（ＴＡＢ１、ＴＡＢ２）の上面のチップ搭載領域に導電性接着剤４を供給した後、各ダイパッド部（ＴＡＢ１、ＴＡＢ２）の上面に半導体チップ５Ａ、５Ｂおよびダイオードチップ８Ａ、８Ｂを搭載する。
【００５５】
次に、図１７に示すように、半導体チップ５Ａ、５Ｂ、ダイオードチップ８Ａ、８Ｂおよびリード３をＡｌワイヤ１０、１１で電気的に接続する。Ａｌワイヤ１０、１１の接続は、例えば超音波を利用したウェッジボンディング法を用いて行う。
【００５６】
次に、リードフレームＬＦ１を図示しないモールド金型に装着し、図１８に示すように、各ダイパッド部（ＴＡＢ１、ＴＡＢ２）の一部、半導体チップ５Ａ、５Ｂ、ダイオードチップ８Ａ、８ＢおよびＡｌワイヤ１０、１１を封止体２Ａにより被覆する。
【００５７】
次に、図１９に示すように、タイバー１６を切断・除去し、続いてリード３の表面にメッキ（図示せず）を形成した後、図２０に示すように、リードフレームＬＦ１の不要箇所を切断・除去することにより、前記図２〜図５に示した本実施の形態の半導体パッケージ１Ａが完成する。
【００５８】
図２１は、本実施の形態の半導体パッケージ１Ａをモータの配線基板２０に実装した状態を示している。半導体パッケージ１Ａを配線基板２０に実装する際は、リード３の先端を配線基板２０に挿入し、半田で固定する。その際、リード３同士の短絡を防ぐために、５本のリード３を１本置きに折り曲げて配線基板２０に挿入してもよい。また、半導体パッケージ１Ａの裏面にＡｌなどからなる放熱板２１を取り付ける場合は、封止体２Ａに設けられた貫通孔１２にネジ２２を挿入して放熱板２１に固定する。その際、半導体パッケージ１Ａの裏面に露出したダイパッド部（ＴＡＢ１、ＴＡＢ２）と放熱板２１との短絡を防ぐために、半導体パッケージ１Ａと放熱板２１との間にシリコーンゴムなどからなる絶縁板２３を介在させる。
【００５９】
図２２は、本実施の形態のスイッチモジュール（半導体パッケージ１Ａ）を３個使用した三相モータ用インバータ回路の例である。また、図２３は、本実施の形態のスイッチモジュール（半導体パッケージ１Ａ）を２個使用したＨブリッジモータ用インバータ回路の例である。
【００６０】
このように、本実施の形態のスイッチモジュールは、多層配線基板等を使用せず、１つの金属板からなる熱拡散板（ヘッダ）を採用し、そのダイパッド部（ＴＡＢ１、ＴＡＢ２）の上面に半導体チップ５Ａ、５Ｂおよびダイオードチップ８Ａ、８Ｂを搭載し、これらのチップとリード３をＡｌワイヤ１０、１１で接続することにより、１個の半導体パッケージ１Ａでスイッチモジュールを実現している。このように、多層配線基板等よりも材料コストが安い金属板からなる熱拡散板を用いた構造にすることにより、スイッチモジュールのコストダウンを図ることができる。また、伝熱に優れた金属版の熱拡散板を用いているので、半導体チップ５Ａ、５Ｂで生じた熱を直接ダイパッド部（ＴＡＢ１、ＴＡＢ２）に拡散させることができ、放熱特性が良好なスイッチモジュールを実現することができる。
【００６１】
また、本実施の形態のスイッチモジュールは、ダイパッド部（ＴＡＢ１）の近傍に配置されたリード３の一端部をダイパッド部（ＴＡＢ１）の上面よりも上方に配置し、ダイパッド部（ＴＡＢ２）の近傍に配置されたリード３の一端部をダイパッド部（ＴＡＢ２）の上面よりも上方に配置している。これにより、リード３の一端部をダイパッド部（ＴＡＢ２）の上面よりも上方に配置しない場合に比べて、ダイパッド部（ＴＡＢ１、ＴＡＢ２）に搭載された半導体チップ５Ａ、５Ｂとリード３を接続するＡｌワイヤ１０の長さを短くすることができるので、Ａｌワイヤ１０の寄生インダクタンスおよび抵抗を低減することができる。従って、スイッチモジュールの高性能化を図ることができる。さらに寄生インダクタンスおよび抵抗が小さくなることにより、モータの起動時や停止時の逆方向誘起電圧によって半導体チップを破壊することを抑制できる。従って、電力用半導体モジュールの信頼性を向上させることができる。
【００６２】
また、半導体チップ５Ａ、５Ｂのそれぞれの上面の最外周部とＡｌワイヤ１０との距離が離れることにより、半導体チップ５Ａ、５ＢとＡｌワイヤ１０との間の放電を防止することができるので、スイッチモジュールの信頼性を向上させることができる。
【００６３】
（実施の形態２）
図２４は、本実施の形態の半導体パッケージの外観を示す平面図、図２５は、半導体パッケージの裏面（放熱板取り付け面）を示す平面図、図２６は、半導体パッケージの側面図、図２７は、半導体パッケージの内部構造を示す平面図、図２８は、図２７のＥ−Ｅ線に沿った半導体パッケージの断面図である。
【００６４】
前記実施の形態１の半導体パッケージ１Ａは、ダイパッド部（ＴＡＢ１、ＴＡＢ２）の下面が封止体２Ａの下面から露出した構造になっているが、本実施の形態の半導体パッケージ１Ｂは、ダイパッド部（ＴＡＢ３、ＴＡＢ４）が封止体２Ａによって完全に被覆された構造になっている。
【００６５】
封止体２Ｂの一側面から平行に突出した５本のリード３は、前記実施の形態１と同じく、前記図１に示したスイッチ回路の５個の端子に対応している。すなわち、５本のリード３は、Ｖｃｃ端子を構成するリード３（Ｖｃｃ）、ＧＮＤ端子を構成するリード３（ＧＮＤ）、Ｇ１端子を構成するリード３（Ｇ１）、Ｇ２端子を構成するリード３（Ｇ２）およびＣＯＭ端子を構成するリード３（ＣＯＭ）からなる。また、封止体２Ｂの内部に封止された一対のダイパッド部（ＴＡＢ３、ＴＡＢ４）のうち、ダイパッド部（ＴＡＢ３）は、Ｖｃｃ端子を構成するリード３（Ｖｃｃ）と一体に構成されており、ダイパッド部（ＴＡＢ４）は、ＣＯＭ端子を構成するリード３（ＣＯＭ）と一体に構成されている。なお、各端子の配置順は、前述の実施の形態１の半導体パッケージと同一である。
【００６６】
本実施の形態では、ダイパッド部（ＴＡＢ３、ＴＡＢ４）を封止体２Ｂによって完全に被覆しているので、ダイパッド部（ＴＡＢ３、ＴＡＢ４）を前記実施の形態１のダイパッド部（ＴＡＢ１、ＴＡＢ２）よりも厚い板厚で構成することによって、熱容量を増やしている。ダイパッド部（ＴＡＢ３、ＴＡＢ４）およびリード３の厚さは、例えば０．９ｍｍである。
【００６７】
ダイパッド部（ＴＡＢ３）の上面には、導電性接着剤４を介して半導体チップ５Ａおよびダイオードチップ８Ａが搭載されており、ダイパッド部（ＴＡＢ４）の上面には、導電性接着剤４を介して半導体チップ５Ｂおよびダイオードチップ８Ｂが搭載されている。半導体チップ５Ａ、５Ｂおよびダイオードチップ８Ａ、８Ｂは、前記実施の形態１で使用したものと同一である。
【００６８】
前記実施の形態１と同じく、ダイオードチップ８Ａのアノードパッド９、半導体チップ５Ａのエミッタパッド６およびリード３（ＣＯＭ）は、１本のＡｌワイヤ１０によって電気的に接続されており、半導体チップ５Ａのゲートパッド７およびリード３（Ｇ１）は、１本のＡｌワイヤ１１によって電気的に接続されている。また、ダイオードチップ８Ｂのアノードパッド９、半導体チップ５Ｂのエミッタパッド６およびリード３（Ｇ２）は、１本のＡｌワイヤ１０によって電気的に接続されており、半導体チップ５Ｂのゲートパッド７およびリード３（ＧＮＤ）は、１本のＡｌワイヤ１１によって電気的に接続されている。そして、これにより、前記図１に示したスイッチ回路が実現されている。
【００６９】
図２９に示すように、ダイパッド部（ＴＡＢ３）の近傍に配置されたリード３（ＣＯＭ）の一端部は、ダイパッド部（ＴＡＢ３）の上面よりも上方に位置している。また、図３０に示すように、ダイパッド部（ＴＡＢ４）の近傍に配置されたリード３（Ｇ２）の一端部は、ダイパッド部（ＴＡＢ４）の上面よりも上方に位置している。これにより、前記実施の形態１で説明した種々の効果と同様の効果を得ることができる。
【００７０】
本実施の形態の半導体パッケージ１Ｂは、半導体チップ５Ａ、５Ｂから外れる封止体２Ｂの中央部分に円形の貫通孔１８が設けられている。この貫通孔１８は、半導体パッケージ１Ａの貫通孔１２と同じく、半導体パッケージ１Ｂを放熱板に固定する際に使用されるネジ穴である。
【００７１】
そこで、本実施の形態の半導体パッケージ１Ｂは、貫通孔１８の周囲の樹脂（封止体２Ｂ）とダイパッド部（ＴＡＢ３、ＴＡＢ４）との界面が温度サイクルによって剥離するのを防止するために、貫通孔１８の周囲のダイパッド部（ＴＡＢ３、ＴＡＢ４）に貫通孔１８よりも径の小さい複数の貫通孔１９が設けられている。これにより、ダイパッド部（ＴＡＢ３、ＴＡＢ４）の上面側の樹脂と下面側の樹脂とが貫通孔１９を通じて連結されるので、アンカー効果により封止体２Ｂとダイパッド部（ＴＡＢ３、ＴＡＢ４）との接着強度が向上し、界面剥離を抑制することが可能となる。貫通孔１９の径は、図２８に示すように、ダイパッド部（ＴＡＢ３、ＴＡＢ４）の上面側と下面側とで同じであってもよいが、図３１に示すように、ダイパッド部（ＴＡＢ３、ＴＡＢ４）の上面側と下面側とで異なるようにしてもよい。このようにした場合は、貫通孔１９の内部において、ダイパッド部（ＴＡＢ３、ＴＡＢ４）と樹脂との接着強度が増すため、封止体２Ｂとダイパッド部（ＴＡＢ３、ＴＡＢ４）との界面剥離をより確実に抑制することが可能となる。
【００７２】
また、本実施の形態の半導体パッケージ１Ｂは、前記実施の形態１の半導体パッケージ１Ａと同様、半導体チップ５Ａ、５Ｂやダイオードチップ８Ａ、８Ｂが搭載される領域の周囲のダイパッド部（ＴＡＢ３、ＴＡＢ４）に樹脂固定用の長溝１４が設けられている。前述したように、この長溝１４は、ダイパッド部（ＴＡＢ３、ＴＡＢ４）の上面に半導体チップ５Ａ、５Ｂやダイオードチップ８Ａ、８Ｂを搭載する際に、導電性接着剤４がチップ搭載領域の外側に広がるのを防ぐ機能も兼ね備えている。
【００７３】
本実施の形態の半導体パッケージ１Ｂを組み立てるには、まず、図３２に示すように、パッケージ複数個分のダイパッド部（ＴＡＢ３、ＴＡＢ４）がタイバー２４およびフレーム２５によって連結されたリードフレームＬＦ２を準備する。
【００７４】
次に、各ダイパッド部（ＴＡＢ３、ＴＡＢ４）のチップ搭載領域に導電性接着剤４を供給した後、図３３に示すように、半導体チップ５Ａ、５Ｂおよびダイオードチップ８Ａ、８Ｂを搭載する。
【００７５】
次に、図３４に示すように、半導体チップ５Ａ、５Ｂ、ダイオードチップ８Ａ、８Ｂおよびリード３をＡｌワイヤ１０、１１で電気的に接続する。Ａｌワイヤ１０、１１の接続は、超音波を利用したウェッジボンディング法を用いて行う。
【００７６】
次に、リードフレームＬＦ２を図示しないモールド金型に装着し、図３５に示すように、各ダイパッド部（ＴＡＢ３、ＴＡＢ４）の一部、半導体チップ５Ａ、５Ｂ、ダイオードチップ８Ａ、８ＢおよびＡｌワイヤ１０、１１をモールド樹脂２６で被覆した後、図３６に示すように、モールド樹脂２６の外部に露出した各ダイパッド部（ＴＡＢ３、ＴＡＢ４）をポッティング樹脂２７で被覆する。これにより、ダイパッド部（ＴＡＢ３、ＴＡＢ４）、半導体チップ５Ａ、５Ｂ、ダイオードチップ８Ａ、８ＢおよびＡｌワイヤ１０、１１がモールド樹脂２６とポッティング樹脂２７とからなる封止体２Ｂによって被覆される。
【００７７】
次に、図３７に示すように、タイバー２４を切断・除去し、続いてリード３の表面に図示しないメッキを形成した後、図３８に示すように、リードフレームＬＦ２の不要箇所を切断・除去することにより、前記図２４〜図２８に示した本実施の形態の半導体パッケージ１Ｂが完成する。
【００７８】
図３９は、本実施の形態の半導体パッケージ１Ｂをモータの配線基板２０に実装した状態を示している。半導体パッケージ１Ｂを配線基板２０に実装する際は、前記実施の形態１の半導体パッケージ１Ａと同様、リード３の先端を配線基板２０に挿入し、半田で固定する。その際、リード３同士の短絡を防ぐために、５本のリード３を１本置きに折り曲げて配線基板２０に挿入してもよい。また、半導体パッケージ１Ｂの裏面にＡｌなどからなる放熱板２１を取り付ける場合は、封止体２Ｂに設けられた貫通孔１８にネジ２２を挿入して放熱板２１に固定する。
【００７９】
本実施の形態２の半導体パッケージ１Ｂは、封止体２Ｂの外部にダイパッド部（ＴＡＢ３、ＴＡＢ４）が露出していないので、前記実施の形態１の半導体パッケージ１Ａのように、放熱板２１との間に絶縁板２３を介在させる必要はない。従って、前記実施の形態１の半導体パッケージ１Ａに比べて放熱板２１への取り付けを簡単に行うことができる。他方、封止体２Ａの外部にダイパッド部（ＴＡＢ１、ＴＡＢ２）が露出している前記実施の形態１の半導体パッケージ１Ａは、本実施の形態の半導体パッケージ１Ｂに比べて放熱特性が優れている。
【００８０】
以上、本発明者によってなされた発明を実施の形態に基づき具体的に説明したが、本発明は前記実施の形態に限定されるものではなく、その要旨を逸脱しない範囲で種々変更可能であることはいうまでもない。
【００８１】
例えばダイパッド部（ＴＡＢ１、ＴＡＢ２）の上面に搭載する半導体チップ５Ａ、５Ｂとダイオードチップ８Ａ、８Ｂの位置を変えてもよい。すなわち、前記実施の形態１、２では、リード３の近傍に半導体チップ５Ａ、５Ｂを配置し、リード３から離れた位置にダイオードチップ８Ａ、８Ｂを配置したが、図４０に示すように、リード３の近傍にダイオードチップ８Ａ、８Ｂを配置し、リード３から離れた位置に半導体チップ５Ａ、５Ｂを配置してもよい。この場合でも前記実施の形態１、２で前述した効果と同様の効果を得ることができる。また、半導体チップ５Ａ、５Ｂとダイオードチップ８Ａ、８Ｂが十分小さな場合は、図４１に示すように、半導体チップ５Ａ、５Ｂとダイオードチップ８Ａ、８Ｂを５本のリード３の配列方向に沿って並べてもよい。この場合は、半導体チップ５Ａ、５Ｂのエミッタパッド６とリード３を接続するＡｌワイヤ１０、およびダイオードチップ８Ａ、８Ｂのアノードパッド９とリード３を接続するＡｌワイヤ１０がそれぞれ必要となるが、それぞれのＡｌワイヤ１０の長さを短縮することができる。
【００８２】
また、前記実施の形態１、２では、大電流が流れるエミッタパッド６やアノードパッド９とリード３を接続する手段として、ゲートパッド７に接続されるＡｌワイヤ１１よりも径の大きいＡｌワイヤ１０を用いたが、図４２に示すように、Ａｌワイヤ１０に代えてＡｌリボン２８（導電材料）を用いることもできる。また、図４３に示すように、Ｃｕクリップ２９（導電材料）を用いてもよい。ここで、Ａｌリボンとは、Ａｌを主成分とする導電材料で構成された帯状の結線材料を意味している。Ａｌリボンは、極めて薄いため、リードや半導体チップのパッドに接続する際には、長さやループ形状を任意に設定することができるという特徴がある。これに対し、Ｃｕクリップは、あらかじめ所望の形状となるように成形された帯状の結線材料である。
【００８３】
このように幅広のＡｌリボンやＣｕクリップを用いることにより、Ａｌワイヤよりも断面積が大きくなるので、ＩＧＢＴのオン抵抗を低減することができる。
【００８４】
さらに、エミッタパッド６やアノードパッド９とリード３を接続する手段として、ＡｌリボンやＣｕクリップを用いる場合には、ゲートパッド７とリード３を接続する手段として、Ａｕワイヤを用いるとさらにＩＧＢＴのオン抵抗を低減することができる場合もある。Ａｕワイヤは、Ａｌワイヤに比べて細線化が容易であることから、Ａｌワイヤよりも径の小さいＡｕワイヤを用いることができる。これにより、Ａｕワイヤが接続されるゲートパッド７の面積を小さくすることができるので、その分、エミッタパッド６の面積を大きくすることができる。従って、幅の広いＡｌリボンやＣｕクリップをエミッタパッド６に接続することができるので、ＩＧＢＴのオン抵抗をより低減することができる。
【００８５】
また、前記実施の形態１、２では、スイッチ回路の半導体スイッチとしてＩＧＢＴを用いたが、ＩＧＢＴ以外のトランジスタ、例えばＭＯＳＦＥＴを用いることもできる。ＭＯＳＦＥＴを用いた場合は、コレクタ電極がドレイン電極に対応し、エミッタ電極がソース電極に対応することになる。なお、ＭＯＳＦＥＴは、ｎチャネル型ＭＯＳＦＥＴ、ｐチャネル型ＭＯＳＦＥＴ、いずれの場合も有りうる。
【００８６】
図４４（ａ）は、ＭＯＳＦＥＴが形成された半導体チップ５Ｃの部分断面図、図４４（ｂ）は、ＭＯＳＦＥＴの等価回路図である。なお、図４４（ａ）は、プレーナ構造を有するｎチャネル型ＭＯＳＦＥＴを例示している。
【００８７】
ｎ＋型シリコン基板５０上には、ｎ−型エピタキシャル層５１が形成されており、ｎ−型エピタキシャル層５１の表面には、ｐ＋型拡散層５２およびｎ＋型拡散層５３が形成されている。また、ｐ＋型拡散層５２およびｎ＋型拡散層５３の上部には、多結晶シリコン膜などからなるゲート電極５４が形成されており、ゲート電極５４の上部には、ソース電極５５が形成されている。このＭＯＳＦＥＴは、ｎ＋型シリコン基板５０およびｎ−型エピタキシャル層５１がドレインを構成しているので、ｎ＋型シリコン基板５０の裏面にドレイン電極５６が形成されている。
【００８８】
ソース電極５５の上部には、ｎ＋型シリコン基板５０の最表面を覆う表面保護膜５７が形成されている。ソース電極５５は、Ａｌ合金膜からなり、表面保護膜５７は、ポリイミド樹脂膜からなる。ソース電極５５のうち、表面保護膜５７で覆われていない領域、すなわち半導体チップ５Ｃの表面に露出した領域は、ソースパッドを構成している。
【００８９】
ＭＯＳＦＥＴの場合も、逆耐圧に保持したときに空乏層（Ｄ）の拡がりの外側に位置する半導体チップ５Ｃの最外周部が裏面電極（ドレイン電極５６）と同電位となり、数１００Ｖの高電圧が印加される。従って、スイッチ回路の半導体スイッチとしてＭＯＳＦＥＴを用いる場合でも、半導体チップ５Ｃの最外周部とＡｌワイヤとの距離を十分に確保する必要がある。
【００９０】
図４５は、ＩＧＢＴとＦＥＴのオン電圧特性を比較したグラフである。ここでは、オン電圧を３００Ｖに設定したときの特性を比較している。
【００９１】
ＩＧＢＴは、ｐ＋型基板とその上部のｎ＋型層との間のｐｎ接合が順バイアスされる必要があるので、低電流領域ではＦＥＴに比べてオン電圧が高くなってしまう。しかし、大電流領域では、ＦＥＴチップよりも小さいサイズのチップで小さいオン電圧により電流を制御することができる。
【００９２】
他方、ｎ＋型基板を使用するＦＥＴは、図４４に示すように、チップ内に寄生ダイオードが形成されるため、別途にダイオードチップを付加する必要がない。これに対し、ｐ＋型基板を使用するＩＧＢＴは、チップ内に寄生ダイオードが形成されないので、別途にダイオードチップを付加する必要がある。
【００９３】
前記実施の形態１、２では、スイッチモジュールに適用した例を説明したが、本発明は、複数個の電力用半導体チップを組み合わせて構成した各種電力用半導体モジュールに適用することができる。
【産業上の利用可能性】
【００９４】
本発明は、複数個の電力用半導体チップを組み合わせて構成した電力用半導体モジュールに適用することができる。
【符号の説明】
【００９５】
１Ａ、１Ｂ  半導体パッケージ
２Ａ、２Ｂ  封止体
３  リード
４  導電性接着剤
５Ａ、５Ｂ、５Ｃ  半導体チップ
６  エミッタパッド
７  ゲートパッド
８Ａ、８Ｂ  ダイオードチップ
９  アノードパッド
１０、１１  Ａｌワイヤ
１２  貫通孔
１３、１４  長溝
１５  薄肉部
１６  タイバー
１７  フレーム
１８、１９  貫通孔
２０  配線基板
２１  放熱板
２２  ネジ
２３  絶縁板
２４  タイバー
２５  フレーム
２６  モールド樹脂
２７  ポッティング樹脂
２８  Ａｌリボン
２９  Ｃｕクリップ
３０  ｐ＋型シリコン基板
３１  ｎ＋型バッファー層
３２  ｎ−型エピタキシャル層
３３  ｐ＋型拡散層
３４  ｎ＋型拡散層
３５  ゲート絶縁膜
３６  ゲート電極
３７  コレクタ電極
３８  エミッタ電極
３９  表面保護膜
４０  ｎ＋型シリコン基板
４１  ｎ−型エピタキシャル層
４２  ｐ＋型拡散層
４３  アノード電極
４４  カソード電極
４５  表面保護膜
５０  ｎ＋型シリコン基板
５１  ｎ−型エピタキシャル層
５２  ｐ＋型拡散層
５３  ｎ＋型拡散層
５４  ゲート電極
５５  ソース電極
５６  ドレイン電極
５７  表面保護膜
ＬＦ１、ＬＦ２  リードフレーム
ＴＡＢ１、ＴＡＢ２、ＴＡＢ３、ＴＡＢ４  ダイパッド部（金属ベース板）
【図１】
2010267789.tif 000003
【図２】
2010267789.tif 000004
【図３】
2010267789.tif 000005
【図４】
2010267789.tif 000006
【図５】
2010267789.tif 000007
【図６】
2010267789.tif 000008
【図７】
2010267789.tif 000009
【図８】
2010267789.tif 000010
【図９】
2010267789.tif 000011
【図１０】
2010267789.tif 000012
【図１１】
2010267789.tif 000013
【図１２】
2010267789.tif 000014
【図１３】
2010267789.tif 000015
【図１４】
2010267789.tif 000016
【図１５】
2010267789.tif 000017
【図１６】
2010267789.tif 000018
【図１７】
2010267789.tif 000019
【図１８】
2010267789.tif 000020
【図１９】
2010267789.tif 000021
【図２０】
2010267789.tif 000022
【図２１】
2010267789.tif 000023
【図２２】
2010267789.tif 000024
【図２３】
2010267789.tif 000025
【図２４】
2010267789.tif 000026
【図２５】
2010267789.tif 000027
【図２６】
2010267789.tif 000028
【図２７】
2010267789.tif 000029
【図２８】
2010267789.tif 000030
【図２９】
2010267789.tif 000031
【図３０】
2010267789.tif 000032
【図３１】
2010267789.tif 000033
【図３２】
2010267789.tif 000034
【図３３】
2010267789.tif 000035
【図３４】
2010267789.tif 000036
【図３５】
2010267789.tif 000037
【図３６】
2010267789.tif 000038
【図３７】
2010267789.tif 000039
【図３８】
2010267789.tif 000040
【図３９】
2010267789.tif 000041
【図４０】
2010267789.tif 000042
【図４１】
2010267789.tif 000043
【図４２】
2010267789.tif 000044
【図４３】
2010267789.tif 000045
【図４４】
2010267789.tif 000046
【図４５】
2010267789.tif 000047